【手続補正書】
【提出日】平成22年12月1日(2010.12.1)
【手続補正１】
【補正対象書類名】特許請求の範囲
【補正対象項目名】全文
【補正方法】変更
【補正の内容】
【特許請求の範囲】
【請求項１】
被写体を撮像する撮像領域を具備する撮像素子と、
前記撮像素子の全撮像領域のうち、第１撮像領域による被写体の撮像により逐次生成される画像データを動画像データとして逐次記録させていく動画像記録制御手段と、
前記動画像記録制御手段による前記動画像データの記録動作中に、前記撮像素子の全撮像領域のうち、前記第１撮像領域よりも狭い第２撮像領域により撮像される前記被写体内の主要被写体の画像の記録指示を入力する画像記録指示入力手段と、
前記画像記録指示入力手段による前記記録指示の入力に応じて、前記第２撮像領域による前記主要被写体の撮像により生成された画像データを記録させる主要被写体画像記録制御手段と、
前記動画像記録制御手段による動画像データの記録に際し、前記主要被写体画像記録制御手段による画像データの記録時と比較して、よりデータ量の削減率の高いデータ量削減処理を施すか、或いは、前記主要被写体画像記録制御手段により記録される画像データに対して前記データ量削減処理を施さず、且つ、前記動画像記録制御手段により記録される動画像データに対して所定のデータ量の削減率のデータ量削減処理を施すデータ量削減制御手段と、
を備えることを特徴とする撮像装置。
【請求項２】
前記動画像記録制御手段による前記動画像データの記録動作中に、前記全撮像領域の中で前記第２撮像領域の位置及び寸法を変化させる第２撮像領域設定手段を更に備えることを特徴とする請求項１に記載の撮像装置。 
【請求項３】
前記第１撮像領域により生成された画像データに基づいて、前記主要被写体を特定する主要被写体特定手段を備え、
前記第２撮像領域設定手段は、前記主要被写体特定手段により特定された前記主要被写体の位置に対応させて前記第２撮像領域の位置を変化させ、及び／又は、前記主要被写体の寸法に対応させて前記第２撮像領域の寸法を変化させることを特徴とする請求項２に記載の撮像装置。
【請求項４】
前記被写体内の顔を検出する顔検出手段を備え、
前記主要被写体特定手段は、前記顔検出手段により検出された顔に基づいて前記主要被写体を特定することを特徴とする請求項３に記載の撮像装置。
【請求項５】
前記第１撮像領域により生成された複数の画像データに基づいて、前記主要被写体特定手段により特定された前記主要被写体を追跡する主要被写体追跡手段を備え、
前記第２撮像領域設定手段は、前記主要被写体追跡手段により追跡される前記主要被写
体の位置に対応させて前記第２撮像領域の位置を変化させ、及び／又は、前記主要被写体の寸法に対応させて前記第２撮像領域の寸法を変化させることを特徴とする請求項３又は４に記載の撮像装置。
【請求項６】
前記主要被写体特定手段により特定された複数の前記主要被写体のうち、一の主要被写体の選択指示を入力する選択指示入力手段を備えることを特徴とする請求項３〜５の何れか一項に記載の撮像装置。
【請求項７】
前記撮像素子の全撮像領域の中で前記第１撮像領域の位置または寸法を設定する第１撮像領域設定手段を更に備えることを特徴とする請求項１〜６の何れか一項に記載の撮像装置。
【請求項８】
前記データ量削減処理は、前記撮像素子により撮像して得られる画像データから所定量のデータを間引いてデータ量を削減することを特徴とする請求項１〜６の何れか一項に記載の撮像装置。
【請求項９】
前記データ量削減処理は、前記撮像素子により撮像して得られる画像データを圧縮してデータ量を削減することを特徴とする請求項１〜６の何れか一項に記載の撮像装置。
【請求項１０】
前記第１撮像領域は、前記撮像素子の全撮像領域に対応する固定領域であることを特徴とする請求項１〜６の何れか一項に記載の撮像装置。
【請求項１１】
被写体を撮像する撮像領域を具備する撮像素子を備える撮像装置に、
前記撮像素子の全撮像領域のうち、第１撮像領域による被写体の撮像により逐次生成される画像データを動画像データとして逐次記録させていく機能と、
前記動画像データの記録動作中に、前記撮像素子の全撮像領域のうち、前記第１撮像領域よりも狭い第２撮像領域により撮像される前記被写体内の主要被写体の画像の記録指示の入力に応じて、前記第２撮像領域による前記主要被写体の撮像により生成された画像データを記録させる機能と、
前記動画像データの記録に際し、前記主要被写体に係る画像データの記録時と比較して、よりデータ量の削減率の高いデータ量削減処理を施すか、或いは、前記主要被写体に係る画像データに対して前記データ量削減処理を施さず、且つ、前記動画像データに対して所定のデータ量の削減率のデータ量削減処理を施す機能と、
を実現させることを特徴とするプログラム。
【手続補正２】
【補正対象書類名】明細書
【補正対象項目名】０００６
【補正方法】変更
【補正の内容】
【０００６】
請求項２記載の発明は更に、前記動画像記録制御手段による前記動画像データの記録動作中に、前記全撮像領域の中で前記第２撮像領域の位置及び寸法を変化させる第２撮像領域設定手段を更に備えることを特徴としている。
【手続補正３】
【補正対象書類名】明細書
【補正対象項目名】０００７
【補正方法】変更
【補正の内容】
【０００７】
請求項３記載の発明は更に、前記第１撮像領域により生成された画像データに基づいて、前記主要被写体を特定する主要被写体特定手段を備え、前記第２撮像領域設定手段は、前記主要被写体特定手段により特定された前記主要被写体の位置に対応させて前記第２撮像領域の位置を変化させ、及び／又は、前記主要被写体の寸法に対応させて前記第２撮像領域の寸法を変化させることを特徴としている。
【手続補正４】
【補正対象書類名】明細書
【補正対象項目名】０００８
【補正方法】変更
【補正の内容】
【０００８】
請求項４記載の発明は更に、前記被写体内の顔を検出する顔検出手段を備え、前記主要被写体特定手段は、前記顔検出手段により検出された顔に基づいて前記主要被写体を特定することを特徴としている。
【手続補正５】
【補正対象書類名】明細書
【補正対象項目名】０００９
【補正方法】変更
【補正の内容】
【０００９】
請求項５記載の発明は更に、前記第１撮像領域により生成された複数の画像データに基づいて、前記主要被写体特定手段により特定された前記主要被写体を追跡する主要被写体追跡手段を備え、前記第２撮像領域設定手段は、前記主要被写体追跡手段により追跡される前記主要被写体の位置に対応させて前記第２撮像領域の位置を変化させ、及び／又は、前記主要被写体の寸法に対応させて前記第２撮像領域の寸法を変化させることを特徴としている。
【手続補正６】
【補正対象書類名】明細書
【補正対象項目名】００１０
【補正方法】変更
【補正の内容】
【００１０】
請求項６記載の発明は更に、前記主要被写体特定手段により特定された複数の前記主要被写体のうち、一の主要被写体の選択指示を入力する選択指示入力手段を備えることを特徴としている。
【手続補正７】
【補正対象書類名】明細書
【補正対象項目名】００１１
【補正方法】変更
【補正の内容】
【００１１】
請求項７記載の発明は更に、前記撮像素子の全撮像領域の中で前記第１撮像領域の位置または寸法を設定する第１撮像領域設定手段を更に備えることを特徴としている。
【手続補正８】
【補正対象書類名】明細書
【補正対象項目名】００１２
【補正方法】変更
【補正の内容】
【００１２】
請求項８記載の発明は更に、前記データ量削減処理は、前記撮像素子により撮像して得られる画像データから所定量のデータを間引いてデータ量を削減することを特徴としている。
【手続補正９】
【補正対象書類名】明細書
【補正対象項目名】００１３
【補正方法】変更
【補正の内容】
【００１３】
請求項９記載の発明は更に、前記データ量削減処理は、前記撮像素子により撮像して得られる画像データを圧縮してデータ量を削減することを特徴としている。
【手続補正１０】
【補正対象書類名】明細書
【補正対象項目名】００１４
【補正方法】変更
【補正の内容】
【００１４】
請求項１０記載の発明は更に、前記第１撮像領域は、前記撮像素子の全撮像領域に対応する固定領域であることを特徴としている。